(57)【要約】      （修正有）【課題】ネットワーク内にあって印字情報を解析した結果によって調整を行うことができない画像形成装置に対し、調整タイミングを決定し適正な調整タイミングを通知する。【解決手段】画像解析処理システムは、画像形成部を有する複数の画像形成装置と、画像形成部によって記録媒体に形成された画像の読み取りを行う画像読取部と、画像読取部で読み取られた記録媒体上の印字情報を取得し、印字情報を解析して画像形成部に対する調整が可能な解析調整部と、調整が行われた画像形成装置における使用状況の情報を取得し、少なくとも使用状況の情報に基づいて、印字情報を解析した結果によって調整を行うことができない他の所定の画像形成装置に対し調整を行うタイミングを決定し、他の所定の画像形成装置に対し、タイミングに関する情報を送信する調整タイミング決定部と、がネットワークに接続されている。【選択図】図６
2019197300.tif 000002
【特許請求の範囲】
【請求項１】
画像形成部を有する複数の画像形成装置と、
前記画像形成部によって記録媒体に形成された画像の読み取りを行う画像読取部と、
前記画像読取部で読み取られた記録媒体上の印字情報を取得し、前記印字情報を解析して前記画像形成部に対する調整が可能な解析調整部と、
前記調整が行われた前記画像形成装置における使用状況の情報を取得し、少なくとも前記使用状況の情報に基づいて、印字情報を解析した結果によって前記調整を行うことができない他の所定の画像形成装置に対し調整を行うタイミングを決定し、前記所定の画像形成装置に対し、前記タイミングに関する情報を送信する調整タイミング決定部と、がネットワークに接続されている画像解析処理システム。
【請求項２】
前記使用状況が、調整を行った時点での前記画像形成装置における記録媒体の出力枚数、トナー使用量およびパーツの使用状況の一つ以上である請求項１記載の画像解析処理システム。
【請求項３】
前記調整タイミング決定部は、前記使用状況と前記画像形成装置の装置情報とに基づいて前記タイミングを決定する請求項１または２に記載の画像解析処理システム。
【請求項４】
前記装置情報が、機種情報、供給トレイ情報、内部センサで得られた情報の一つ以上である請求項３記載の画像解析処理システム。
【請求項５】
前記調整タイミング決定部は、前記調整が行われた画像形成装置における調整内容の情報を取得する請求項１〜４のいずれか１項に記載の画像解析処理システム。
【請求項６】
前記所定の画像形成装置が、前記調整が行われた前記画像形成装置と類似するものとして設定された画像形成装置である請求項１〜５のいずれか１項に記載の画像解析処理システム。
【請求項７】
前記解析調整部が、前記画像形成装置または前記画像読取部に備えられている請求項１〜６のいずれか１項に記載の画像解析処理システム。
【請求項８】
前記調整タイミング決定部が、前記画像形成装置または前記画像読取部に備えられている請求項１〜７のいずれか１項に記載の画像解析処理システム。
【請求項９】
前記調整タイミング決定部が、前記ネットワークに接続されたサーバに備えられている請求項１〜８のいずれか１項に記載の画像解析処理システム。
【請求項１０】
前記解析調整部は、前記調整が行われた前記画像形成部における使用状況の情報を前記調整タイミング決定部に送信する請求項１〜９のいずれか１項に記載の画像解析処理システム。
【請求項１１】
前記解析調整部は、前記調整が画像形成部の機械固有の要因によって発生した問題を解決するために行うものと判断された場合、前記調整タイミング決定部へ情報送信を行わないか、機械固有の調整であることを示す情報を合わせて送信する請求項１０記載の画像解析処理システム。
【請求項１２】
前記所定の画像形成装置は、画像形成装置側で、予め調整タイミングを、前記調整タイミング決定部による指示を優先とするかを設定可能である請求項１〜１１のいずれか１項に記載の画像解析処理システム。
【請求項１３】
前記所定の画像形成装置が、画像形成装置側で、予め調整タイミングを、「指示優先」、「画質優先」および「消耗品節約優先」からユーザが設定可能である請求項１２記載の画像解析処理システム。
【請求項１４】
前記所定の画像形成装置では、「指示優先」が設定されている場合は、常に指示されたタイミングで調整を行い、「画質優先」が設定されている場合は、指示された調整タイミングが予め画像形成装置で設定された調整タイミングより早い周期の場合のみ指示に従い、「消耗品節約優先」が設定されている場合は指示された調整タイミングが予め画像形成装置で設定された調整タイミングより遅い周期の場合のみ指示に従うものとする請求項１３記載の画像解析処理システム。
【請求項１５】
調整内容ごとに前記設定を行うことが可能である請求項１３または１４に記載の画像解析処理システム。
【請求項１６】
画像形成に関わる画像の処理を行う複数の画像形成装置と、
画像形成部によって記録媒体に形成された画像の読み取りを行う画像読取部と、
前記画像読取部で読み取られた記録媒体上の印字情報を取得し、前記印字情報を解析して前記画像形成部に対する調整が可能な解析調整部と、が接続されたネットワークに接続された管理装置であって、
前記調整が行われた前記画像形成部における使用状況の情報を取得し、少なくとも前記使用状況の情報に基づいて、印字情報を解析した結果によって前記調整を行うことができない他の所定の画像形成装置に対し調整を行うタイミングを決定し、前記所定の画像形成装置に対し、前記タイミングに関する情報を送信する調整タイミング決定部を備えることを特徴とする管理装置。
【請求項１７】
画像形成部を有する複数の画像形成装置と、画像形成部によって記録媒体に形成された画像の読み取りを行う画像読取部と、前記画像読取部で読み取られた記録媒体上の印字情報を取得し、前記印字情報を解析して前記画像形成部に対する調整が可能な解析調整部と、前記調整が行われた前記画像形成部における使用状況の情報を取得し、少なくとも前記使用状況の情報に基づいて、印字情報を解析した結果によって前記調整を行うことができない他の所定の画像形成装置に対し調整を行うタイミングを決定し、前記所定の画像形成装置に対し、前記タイミングに関する情報を送信する調整タイミング決定部と、が接続されたネットワークに接続され、
前記解析調整部を備えることを特徴とする画像処理装置。
【請求項１８】
さらに、前記画像読取部を備えることを特徴とする請求項１７記載の画像処理装置。
【請求項１９】
ネットワークに接続され、画像形成部を有する複数の画像形成装置における調整の制御を行うコンピュータで実行されるプログラムであって、
画像形成部によって記録媒体に形成された画像を読み取った印字情報を解析して画像形成部に対する調整を行った際の画像形成装置における使用状況の情報を取得し、少なくとも前記使用状況の情報に基づいて、印字情報を解析した結果によって前記調整を行うことができない他の所定の画像形成装置に対し調整を行うタイミングを決定し、前記所定の画像形成装置に対し、前記タイミングに関する情報を送信するステップを有するプログラム。
【請求項２０】
さらに、画像読取部で読み取られた記録媒体上の印字情報を取得し、前記印字情報を解析して前記画像形成部に対する調整を行うステップを有する請求項１９記載のプログラム。
【発明の詳細な説明】
【技術分野】
【０００１】
この発明は、ネットワークに接続されて、画像形成部を有する複数の画像形成装置における画質調整の制御を行うことができる画像解析処理システム、管理装置、画像処理装置およびプログラムに関するものである。
【背景技術】
【０００２】
複写機、プリンター、複合機などの画像形成装置の分野では、用紙の画像を読み取った画像読取データを用いて、画質調整などを行う機能を有する装置が知られている。例えば、チャートを用紙に印刷し、これを読み取った結果によって、階調、最高濃度、エッジ品質、線幅、色ズレの解析を行っている。その結果、出力物の画質が低下したと判断した際には画質調整や機械調整などを行っている。
上記機能は、画像の読取と解析を行う構成が必要になるため、複数の画像形成装置がネットワークに接続されているようなシステムでは、上記の構成の有無によって、上記機能を実行できる画像形成装置と、上記機能を実行できない画像形成装置とが存在することになる。
特許文献１では、スキャナーを備えた装置のキャリブレーション結果の情報と、スキャナーを備えていない精度の低い装置のキャリブレーション結果の情報をサーバが集約し、調整精度を上げる技術が提案されている。
また、特許文献２では、タンデム印刷のように特定の装置と調整値を合わせる必要のあるシステムにおいて、その特定の装置と調整タイミングを合わせる技術が提案されている。
【先行技術文献】
【特許文献】
【０００３】
【特許文献１】特開２０１４−１３５６９３号公報
【特許文献２】特開２００８−２７７９９９号公報
【発明の概要】
【発明が解決しようとする課題】
【０００４】
従来の技術では、出力物の画像を画像読取部で読み取ってリアルタイム解析を行うことによって出力物のかすれやトナー濃度の低下を見つけた場合に画像形成装置の調整作業を行うことによって出力物の画質低下を救うことができる。しかし、画像読取部および解析機能を持たない画像形成装置の場合は、適切な調整時期をリアルタイムに発見することができない。また、従来技術においては、タンデム印刷などのような特定の関係がない装置においては、適正な調整タイミングを得ることができない。このため、従来は、画像形成装置において予め定められた一定のタイミングで調整を行っており、無駄なヤレの発生や不必要な調整によるトナーや用紙の無駄遣いが発生するという問題を抱えている。
【０００５】
本発明は、上記事情を背景としてなされたものであり、ネットワーク内にあって印字情報を解析した結果によって調整を行うことができない画像形成装置に対し、調整タイミングを決定して適正な調整タイミングを通知することができる画像解析処理システム、管理装置、画像処理装置およびプログラムを提供することを目的とする。
【課題を解決するための手段】
【０００６】
すなわち、本発明の画像解析処理システムのうち、第１の形態は、画像形成部を有する複数の画像形成装置と、
前記画像形成部によって記録媒体に形成された画像の読み取りを行う画像読取部と、
前記画像読取部で読み取られた記録媒体上の印字情報を取得し、前記印字情報を解析して前記画像形成部に対する調整が可能な解析調整部と、
前記調整が行われた前記画像形成装置における使用状況の情報を取得し、少なくとも前記使用状況の情報に基づいて、印字情報を解析した結果によって前記調整を行うことができない他の所定の画像形成装置に対し調整を行うタイミングを決定し、前記所定の画像形成装置に対し、前記タイミングに関する情報を送信する調整タイミング決定部と、がネットワークに接続されている。
【０００７】
他の形態の画像解析処理システムの発明は、前記形態の発明において、前記使用状況が、調整を行った時点での前記画像形成装置における記録媒体の出力枚数、トナー使用量およびパーツの使用状況の一つ以上である。
【０００８】
他の形態の画像解析処理システムの発明は、前記形態の発明において、前記調整タイミング決定部は、前記使用状況と前記画像形成装置の装置情報とに基づいて前記タイミングを決定する。
【０００９】
他の形態の画像解析処理システムの発明は、前記形態の発明において、前記装置情報が、機種情報、供給トレイ情報、内部センサで得られた情報の一つ以上である。
【００１０】
他の形態の画像解析処理システムの発明は、前記形態の発明において、前記調整タイミング決定部は、前記調整が行われた画像形成装置における調整内容の情報を取得する。
【００１１】
他の形態の画像解析処理システムの発明は、前記形態の発明において、前記所定の画像形成装置が、前記調整が行われた前記画像形成装置と類似するものとして設定された画像形成装置である。
【００１２】
他の形態の画像解析処理システムの発明は、前記形態の発明において、前記解析調整部が、前記画像形成装置または前記画像読取部に備えられている。
【００１３】
他の形態の画像解析処理システムの発明は、前記形態の発明において、前記調整タイミング決定部が、前記画像形成装置または前記画像読取部に備えられている。
【００１４】
他の形態の画像解析処理システムの発明は、前記形態の発明において、前記調整タイミング決定部が、前記ネットワークに接続されたサーバに備えられている。
【００１５】
他の形態の画像解析処理システムの発明は、前記形態の発明において、前記解析調整部は、前記調整が行われた前記画像形成部における使用状況の情報を前記調整タイミング決定部に送信する。
【００１６】
他の形態の画像解析処理システムの発明は、前記形態の発明において、前記解析調整部は、前記調整が画像形成部の機械固有の要因によって発生した問題を解決するために行うものと判断された場合、前記調整タイミング決定部へ情報送信を行わないか、機械固有の調整であることを示す情報を合わせて送信する。
【００１７】
他の形態の画像解析処理システムの発明は、前記形態の発明において、前記所定の画像形成装置は、画像形成装置側で、予め調整タイミングを、前記調整タイミング決定部による指示を優先とするかを設定可能である。
【００１８】
他の形態の画像解析処理システムの発明は、前記形態の発明において、前記所定の画像形成装置が、画像形成装置側で、予め調整タイミングを、「指示優先」、「画質優先」および「消耗品節約優先」からユーザが設定可能である。
【００１９】
他の形態の画像解析処理システムの発明は、前記形態の発明において、前記所定の画像形成装置では、「指示優先」が設定されている場合は、常に指示されたタイミングで調整を行い、「画質優先」が設定されている場合は、指示された調整タイミングが予め画像形成装置で設定された調整タイミングより早い周期の場合のみ指示に従い、「消耗品節約優先」が設定されている場合は指示された調整タイミングが予め画像形成装置で設定された調整タイミングより遅い周期の場合のみ指示に従うものとする。
【００２０】
他の形態の画像解析処理システムの発明は、前記形態の発明において、調整内容ごとに前記設定を行うことが可能である。
【００２１】
本発明の管理装置のうち、第１の形態は、
画像形成に関わる画像の処理を行う複数の画像形成装置と、
画像形成部によって記録媒体に形成された画像の読み取りを行う画像読取部と、
前記画像読取部で読み取られた記録媒体上の印字情報を取得し、前記印字情報を解析して前記画像形成部に対する調整が可能な解析調整部と、が接続されたネットワークに接続された管理装置であって、
前記調整が行われた前記画像形成装置における使用状況の情報を取得し、少なくとも前記使用状況の情報に基づいて、印字情報を解析した結果によって前記調整を行うことができない他の所定の画像形成装置に対し調整を行うタイミングを決定し、前記所定の画像形成装置に対し、前記タイミングに関する情報を送信する調整タイミング決定部を備えることを特徴とする。
【００２２】
本発明の画像処理装置のうち、第１の形態は、
画像形成部を有する複数の画像形成装置と、画像形成部によって記録媒体に形成された画像の読み取りを行う画像読取部と、前記画像読取部で読み取られた記録媒体上の印字情報を取得し、前記印字情報を解析して前記画像形成部に対する調整が可能な解析調整部と、前記調整が行われた前記画像形成部における使用状況の情報を取得し、少なくとも前記使用状況の情報に基づいて、印字情報を解析した結果によって前記調整を行うことができない他の所定の画像形成装置に対し調整を行うタイミングを決定し、前記所定の画像形成装置に対し、前記タイミングに関する情報を送信する調整タイミング決定部と、が接続されたネットワークに接続され、前記解析調整部を備えることを特徴とする。
【００２３】
他の形態の画像処理装置は、前記形態の発明において、さらに、前記画像読取部を備えることを特徴とする。
【００２４】
本発明のプログラムのうち、第１の形態は、ネットワークに接続され、画像形成部を有する複数の画像形成装置における調整の制御を行うコンピュータで実行されるプログラムであって、
画像形成部によって記録媒体に形成された画像を読み取った印字情報を解析して画像形成部に対する調整を行った際の画像形成装置における使用状況の情報を取得し、少なくとも前記使用状況の情報に基づいて、印字情報を解析した結果によって前記調整を行うことができない他の所定の画像形成装置に対し調整を行うタイミングを決定し、前記所定の画像形成装置に対し、前記タイミングに関する情報を送信するステップを有する。
【００２５】
他の形態のプログラムの発明は、前記形態の発明において、さらに、画像読取部で読み取られた記録媒体上の印字情報を取得し、前記印字情報を解析して前記画像形成部に対する調整を行うステップを有する。
【発明の効果】
【００２６】
本発明によれば、出力物の読み取り結果の解析によって画像形成装置に調整を行った際の情報を用いて、印字情報を解析した結果によって前記調整を行うことができない他の所定の画像形成装置に対する調整のタイミングを決定して、適切なタイミングでの調整を行うことを可能にする効果がある。
【図面の簡単な説明】
【００２７】
【図１】本発明の一実施形態における画像解析処理システムの概略図を示す図である。
【図２】一実施形態に含まれる画像形成装置の機械的概略を示す図である。
【図３】画像解析処理システムの制御ブロックを示す図である。
【図４】本発明の他の実施形態における画像解析処理システムの概略図を示す図である。
【図５】調整を行った画像形成装置からサーバに使用状況等を送信する手順を示すフローチャートである。
【図６】使用状況等を受信したサーバで調整タイミングを決定して、他の所定の画像形成装置に調整タイミング情報を送信する手順を示すフローチャートである。
【図７】調整タイミング情報を受信した他の画像形成装置で調整実施を行う手順を示すフローチャートである。
【図８】調整が機械固有の調整であるかによって処理が異なる画像形成装置の手順を示すフローチャートである。
【図９】画質優先の設定がされた他の画像形成装置における調整処理の手順を示すフローチャートである。
【図１０】消耗品節約優先の設定がされた他の画像形成装置における調整処理の手順を示すフローチャートである。
【発明を実施するための形態】
【００２８】
以下に、本発明の一実施形態を添付図面に基づいて説明する。
図１の画像形成システム１は、複数の画像形成装置２Ａ、２Ｂ、２Ｃ、３Ａ、３Ｂおよびサーバ５が同一のネットワーク４に接続されている。
画像形成装置２Ａは、画像形成部を有する画像形成装置本体と、画像形成装置本体に機械的に接続され、画像形成装置本体で画像が形成された出力物の画像を読み取る読取装置（以下では、適宜、ＩＣＣＵ（Ｉｍａｇｅ  Ｃａｌｉｂｒａｔｉｏｎ  Ｃｏｎｔｒｏｌ  Ｕｎｉｔ）と称する）を備えている。
【００２９】
この読取装置では、比較用の画像を得て、画像読取部で出力物を読み取った読取画像と比較用画像とを比較し、階調、最高濃度、エッジ品質、線幅、色ズレなどの解析を行うことができる。その結果、出力物の画質が低下したと判断した際には画質調整や機械調整などを行うように画像形成装置本体に指示を行うことができる。比較用の画像としては、印刷用画像や正解画像、チャート画面などを用いることができる。読取装置の上記動作は、読取装置に備えられた読取制御部などにより行うことができる。この形態では、読取制御部は、解析調整部に相当する。なお、読取装置において、直接、画像形成装置本体に対し、調整を行うように制御するものであってもよい。上記読取装置は、本発明の画像処理装置に相当する。
また、読取装置の解析結果を受け、画像形成部の調整を画像制御部で行い、画像制御部において画像形成装置に対し使用状況をサーバに送信するものとしてもよい。この場合、読取制御部と画像制御部とが協働して解析調整部として機能することになる。
【００３０】
また、読取装置の読取結果を画像形成装置本体やサーバに送信し、画像形成装置本体に備えられている画像制御部やサーバの管理制御部などによって、読取画像と比較用画像とを比較し、階調、最高濃度、エッジ品質、線幅、色ズレなどの解析を行う。その結果、出力物の画質が低下したと判断した際には画質調整や機械調整などを行うように画像形成装置本体に指示を行うことができる。また、管理制御部で画像形成装置における調整を直接制御するようにしてもよい。画像制御部や管理制御部で解析等を行う場合、画像制御部や管理制御部は、解析調整部として機能する。上記形態において、サーバは管理装置として機能する。
【００３１】
また、画像形成装置２Ｂ、２Ｃ、３Ａ、３Ｂは、読取装置が内蔵または接続されておらず、出力物の画像読取が不可になっている。また、画像形成装置２Ｂ、２Ｃは、機種情報、供給トレイ情報、内部センサで得られた情報の一つ以上の装置情報によって、画像形成装置２Ａとは類似している装置として、サーバに設定されている。一方、画像形成装置３Ａ、３Ｂは、画像形成装置２Ａとは類似していないものとして、上記設定がされていない。なお、類似する装置であるかは、ユーザが設定するようにしてもよく、また、管理制御部が接続されている画像形成装置の機種情報などの装置情報によって、自動的に類似する装置であるかを判定して設定するようにしてもよい。
【００３２】
解析調整部は、画像形成装置２Ａの画質調整などの調整が行われると、調整が行われた際の画像形成装置２Ａにおける、少なくとも使用状況をサーバに送信する。サーバは、管理制御部において使用状況を取得し、少なくとも前記使用状況の情報に基づいて、印字情報を解析した結果によって前記調整を行うことができない他の所定の画像形成装置である、画像形成装置２Ｂ、２Ｃに対し調整を行うタイミングを決定する。さらに管理制御部では、所定の画像形成装置にタイミングに関する情報を送信する。したがって、この形態では、管理制御部は調整タイミング決定部として機能する。画像形成装置２Ａからサーバに送信する情報として、使用状況の他に、装置情報や調整内容を送信するものとしてもよい。
【００３３】
使用状況は、画像形成装置２Ａにおける記録媒体の出力枚数、トナー使用量、パーツの使用状況の一つ以上とすることができる。使用状況としてどの要素を用いるかは特に限定されない。この形態では、他の所定の画像形成装置は、画像形成装置２Ａに類似した装置として設定されたものである。類似するかの基準は適宜のものを用いることができる。構成部品が類似しているかなどによって判断することができる。
管理制御部から所定の画像形成装置に送信する情報は、タイミングの情報そのものでもよく、タイミングを判定できる情報（出力枚数○枚後など）でもよい。また、送信時期は、タイミングを決定した後、直ちに送信してもよく、タイミングに近い時期など、適宜の時期に送信をするようにしてもよい。
【００３４】
次に、画像形成装置２Ａの機械的構成の概略を図２に基づいて説明する。
画像形成装置２Ａは、画像形成を行う画像形成装置本体１０を備え、その前段側に給紙装置４０、画像形成装置本体１０の後段側に読取装置２０、読取装置２０の後段側に後処理装置３０を有している。各装置および画像形成装置本体は、電気的および機械的に接続されており、各装置および画像形成装置本体間で、通信および用紙の搬送が可能になっている。
【００３５】
給紙装置４０は、用紙を収納する複数の給紙段を備えており、給紙段に収納された用紙は、後段の画像形成装置本体１０に供給可能となっている。用紙は、本発明の記録媒体に相当する。なお、本発明としては、記録媒体の材質は紙に限定されるものではなく、布やプラスチックなどからなるものであってもよい。
【００３６】
画像形成装置本体１０は、筺体内の下部側に、複数の給紙トレイを備えた本体給紙部１２が備えられている。本体給紙部１２では、各給紙トレイに用紙が収納される。用紙は、本発明の記録媒体に相当する。記録媒体の材質は紙に限定されるものではなく、布やプラスチックからなるものであってもよい。
画像形成装置本体１０の筺体内には、搬送路１３が設けられており、給紙装置４０または本体給紙部１２から供給される用紙が搬送路１３に沿って下流側に搬送される。
【００３７】
搬送路１３の途中付近には、用紙に画像を形成する画像形成部１１０が設けられている。
画像形成部１１０は、各色用（シアン、マゼンタ、イエロー、ブラック）の感光体１１ａを有しており、感光体１１ａの周囲には、図示しない、帯電器、ＬＤ（レーザダイオード）、現像器、クリーニング部等が備えられている。また、画像形成部１１０は、各色用の感光体１１ａと接触する位置に、中間転写ベルト１１ｂを有している。中間転写ベルト１１ｂは、その途中に設けられた二次転写部１１ｃにおいて搬送路１３上の用紙と接触する。また、搬送路１３では、二次転写部１１ｃよりも下流側の位置に定着器１１ｄが備えられている。
【００３８】
用紙に画像を形成する場合、帯電器によって感光体１１ａが一様に帯電された後に、感光体１１ａに対し、ＬＤからレーザー光が照射されて、感光体１１ａ上に潜像が形成される。感光体１１ａ上の潜像は、現像器によって現像されてトナー像となり、感光体１１ａ上のトナー像は中間転写ベルト１１ｂに転写され、中間転写ベルト１１ｂ上の画像は、二次転写部１１ｃにおいて用紙に転写される。画像が形成されて、搬送路１３に沿って搬送される用紙は、定着器１１ｄによって画像の定着が行われる。
なお、この実施形態では、画像形成部１１０は多色で画像形成を行うものとして説明したが、本発明としては、画像形成部１１０は、モノクロなど、単色で画像形成を行うものであってもよい。
【００３９】
また、搬送路１３は、定着器１１ｄの下流側で、反転搬送路１５が分岐している。反転搬送路１５の途中には、下流搬送路１６が分岐して、反転搬送路１５の分岐地点よりも下流側で搬送路１３に接続されている。反転搬送路１５では、下流搬送路１６が分岐した地点よりも下流側で退避搬送路１７が分岐している。反転搬送路１５の下流端は、画像形成部１１０よりも上流側の位置で搬送路１３に合流している。搬送路１３は、ストレート方向において後段に接続された読取装置２０の搬送路２３に接続されている。
【００４０】
用紙の片面に画像形成を行う場合、画像形成後の用紙は、そのまま搬送路１３をストレートに搬送されて読取装置２０の搬送路２３へ搬送される。
画像形成後に用紙のフェイス面の切り替えを行う場合は、用紙を反転搬送路１５に搬送し、下流搬送路１６の分岐点を超えて搬送した後、反転搬送路１５を逆方向に搬送し、下流搬送路１６を通って搬送路１３の下流側に搬送する。
用紙を反転して用紙の裏面に画像を形成する場合、用紙を搬送路１３から反転搬送路１５に送り、退避搬送路１７に送った後、用紙の先後を変えて反転搬送路１５の下流側に送り、搬送路１３に環流する。その後、画像形成部１１０において用紙の裏面側への画像形成が行われる。
【００４１】
また、画像形成装置本体１０は、筐体の上部に操作部１４０が備えられている。操作部１４０は、タッチパネルを供えたＬＣＤ１４１と、テンキー等の操作キー群とを有しており、情報の表示および操作入力の受付が可能となっている。操作部１４０は、表示部に相当し、操作部を兼ねている。
なお、この実施形態では、操作部１４０は、操作部と表示部とが一体となっているが、操作部と表示部とが一体となっていないものでもよく、例えば、操作部をマウスやタブレット、端末等によって構成してもよい。また、ＬＣＤ１４１は移動可能となっているものであってもよい。
【００４２】
また、画像形成装置本体１０の筐体の上部には、操作部１４０が位置しない場所に、自動原稿給送装置（ＡＤＦ）１８が設けられている。自動原稿給送装置（ＡＤＦ）１８は、原稿載置台にセットされた原稿を自動で給送するものであり、自動原稿給送装置（ＡＤＦ）１８で給送される原稿は、スキャナー部によって読み取られる。
なお、原稿の読み取りは図示しないプラテンガラス上で行うことも可能である。
また、スキャナー部では、画像形成装置本体１０から出力された印刷物をセットして読み取りを行うことも可能である。例えば、画像形成装置本体１０で出力された用紙をセットして読み取りを行い、用紙に形成された画像の読み取りを行うこともできる。この場合、スキャナー部は、画像読取部として機能することができる。
【００４３】
また、画像形成装置本体１０は、画像制御部１００を有している。画像制御部１００は、画像形成装置全体を制御するものであり、ＣＰＵやＣＰＵで動作するプログラム、メモリなどによって構成することができる。なお、画像制御部１００は、画像形成装置本体外に設けられるものであってもよい。
【００４４】
読取装置２０は、搬送路２３を有しており、画像形成装置本体１０から導入される用紙が搬送路２３に沿って搬送される。搬送路２３の下流側では、そのまま用紙を排紙してもよく、また、後段の後処理装置などに搬送するようにしてもよい。
搬送路２３の途中付近には、搬送路２３で搬送される用紙の下面の画像の読み取りを行う読取センサ２４と、用紙の上面の画像の読み取りを行う読取センサ２５が備えられており、読取センサ２４が読取センサ２５よりも用紙搬送方向の上流側に位置している。さらに、読取センサ２５の下流側には、用紙上面の画像の測色を行う測色計２６が備えられている。
【００４５】
読取センサ２４、２５は、ＣＣＤセンサやＣＭＯＳセンサ等によって構成することができ、搬送路２３で搬送される用紙の画像を、搬送方向と交差する方向全体に亘って読み取りを行うことができる。読取センサ２４、２５、および測色計２６で読み取られた読取結果は、読取装置２０に備える読取制御部２００に送信される。読取センサ２４、２５、および測色計２６は、本発明の画像読取部に含まれる。読取制御部２００は、ＣＰＵやＣＰＵで動作するプログラム、メモリなどによって構成することができる。なお、読取制御部２００は、画像形成装置本体外に設けられるものであってもよい。読取制御部２００は、前記したように、解析調整部として機能する。
【００４６】
なお、上記説明では、二つの読取センサで用紙の表裏の画像を読み取るものとしたが、読取センサの前後に反転搬送路を設け、用紙の反転搬送を行うことで一つの読取センサで用紙の表裏の画像を読み取るものとしてもよい。
【００４７】
また、この実施形態では、読取装置が画像形成装置本体にインラインで機械的に接続されているものとして説明しているが、読取装置が画像形成装置に機械的に接続されていないものであってもよい。読取結果は通信線やネットワークで接続して画像制御部に送るようにしてもよく、移動可能な記憶媒体を介してデータを移動できるようにしてもよい。
【００４８】
また、この実施形態では、読取センサ２４、２５が読取装置２０内に設置されているものとして説明したが、例えば画像形成装置本体１０内に読取センサが設けられていてもよい。また、画像形成装置に、読取装置が機械的に接続されていないものであってもよい。機械的にオフラインであっても読取結果を取得することができれば本発明としての機能を果たすことができる。
【００４９】
読取装置２０の後段側には後処理装置３０が接続されており、所望の後処理を行って排紙するか、後処理を行うことなく、そのまま排紙することができる。
【００５０】
なお、この実施形態では、読取制御部２００において読取装置２０で読み取られた読取画像に基づいて画像の解析および画像形成部に対する調整の判定をしているが、読取センサ２４、２５で読み取られた読取画像は、画像制御部１００に転送して、画像制御部１００において、読取画像の解析およびすることができる。なお、画像形成部の調整可否の判定方法は、本発明としては特定の方法に限定されるものではない。
【００５１】
この実施形態では、画像形成装置２Ａは、給紙装置４０、画像形成装置本体１０、読取装置２０および後処理装置３０により構成されているものとしているが、本発明の画像形成装置を構成する装置の数や種類は上記に限定されるものではなく、画像形成装置本体１０のみによって画像形成装置が構成されているものであってもよい。この場合、画像読取部は画像形成装置外に存在している。また、給紙装置４０、画像形成装置本体１０および読取装置２０の他に他の装置を備えるものであってもよい
【００５２】
次に、上記解析処理システムの一部について制御ブロックについて図３に基づいて説明する。
画像形成装置本体１０では、接続された装置との間で通信を行うインターフェース１０１を有しており、画像形成装置本体１０では、読取装置２０のインターフェース２０１に接続されている。
画像形成装置本体１０には、画像形成装置全体を制御する画像制御部１００を有しており、該画像制御部１００に画像処理部１０５が接続されている。画像処理部１０５は、画像データの読込や画像書込みなどの画像処理を行う。
画像書込みに際しては、画像の回転、拡大、縮小、ページ番号の付加、ページ集約等のレイアウト処理、細線化処理、濃度補正処理、疑似的に中間調を再現する中間調処理等の各種画像処理を施すことができる。
【００５３】
画像制御部１００には画像形成部１１０が制御可能に接続されており、読み取り画像データやＲＩＰデータ、調整用チャート画像などに基づいて用紙に画像を形成することができる。
画像データは画像メモリ１３０に一旦格納し、画像形成に用いることができる。
給紙部１２０は、画像形成部１１０に用紙を給紙するものであり、本体給紙部１２を含んでいる。
【００５４】
操作部１４０は、ユーザの操作入力を受け付けたり、情報の表示を行ったりすることができる。ＬＣＤに設けたタッチパネルなどによって、操作部と表示部とを兼用するようにしてもよい。
【００５５】
通信部１５０は、ＮＩＣ１５１を介してネットワーク４に接続された装置との間で通信を行うことができ、例えば、サーバ５に対し、情報の送信、受信を行うことができる。
【００５６】
読取装置２０では、画像形成装置本体１０のインターフェース１０１と通信をし、さらに後段の後処理装置３０のインターフェースと通信を行うインターフェース２０１を有している。
読取装置２０には、読取装置２０を制御する読取制御部２００を有しており、画像制御部１００からの制御指令によって読取装置２０の動作を制御することができる。読取制御部２００は、ＣＰＵやＣＰＵ上で動作するプログラム、記憶部などによって構成されている。
また、読取装置２０で読み取った画像は、読取制御部２００で解析することができる。
【００５７】
読取制御部２００には、用紙搬送部２１０が制御可能に接続されており、画像形成装置本体１０から送られた用紙を、搬送路２３を通じて画像読取可能に搬送して、さらに後段に搬送する。
読取制御部２００には、画像読取部２２０が制御可能に接続されている。画像読取部２２０には、読取センサ２４、２５が含まれている。画像読取部２２０で読み取られた読取結果は一旦読取制御部２００に送られてそのまま判定するか、画像制御部１００で判定できるように画像制御部１００に送信される。
読取制御部２００では、さらに画像メモリ２３０が制御可能に接続されている。画像メモリ２３０には、画像読取部２２０で読み取った読取結果が格納される。なお、画像メモリ２３０は、読取装置２０には設けず、画像形成装置本体１０に設けた画像メモリに読取結果を格納するようにしてもよい。
【００５８】
後処理装置３０には、読取装置２０のインターフェース２０１と通信を行うインターフェース３０１が設けられている。
後処理装置３０には、後処理部３２０が設けられており、後処理部３２０で所望の後処理を行うことができる。後処理装置３０では、後処理を行うことなく排紙を行うことができる。
【００５９】
ネットワーク４にＮＩＣ５０１および通信部５５０を介して接続されたサーバ５では、管理制御部５００を有している。管理制御部５００は、サーバ５全体を管理するとともに、ネットワーク４を通じて、画像形成装置の間で情報の送受信を行うことができる。
例えば、画像形成装置２Ａで、画像の読取結果に応じて調整が行われた場合、画像形成装置２Ａにおける使用状況を取得する。その際に、画像形成装置２Ａの装置情報を取得してもよいが、予め、各画像形成装置の装置情報を取得することができる。また、管理制御部５００では、使用状況とともに、調整内容を取得することができる。
【００６０】
管理制御部５００では、前述したように、画像形成装置２Ａの使用状況に基づいて、画像形成装置２Ａと構成が類似している画像形成装置における調整タイミングを決定する。調整タイミングは、画像形成装置２Ａの使用状況に従ってタイミングを決定してもよいが、他の類似している画像形成装置の装置構成などを考慮して調整タイミングを決定することができる。
【００６１】
決定された調整タイミングに関する情報は、適宜の時期に、対象となる画像形成得装置に送信される。調整タイミングを受信した画像形成装置では、当該調整タイミングに従って、調整を行うことができる。また、画像形成装置における設定などの条件によって、受信した調整タイミングとは異なるタイミングで調整を行うものとしてもよい。
【００６２】
なお、上記実施形態では、調整が行われた際の画像形成装置２Ａにおける使用状況等をサーバで受けて調整タイミングの決定および画像形成装置への送信を行うものとしたが、画像形成装置２Ａで使用状況等を取得して、調整タイミングの決定および他の画像形成装置への送信を行うものとしてもよい。この形態では、画像形成装置２Ａにおける画像制御部が、調整タイミング決定部として機能する。また、画像形成装置２Ａ以外の画像形成装置において、同様の機能を果たすものとしてもよい。この形態の画像形成装置２Ａは、本発明の画像処理装置としての機能を有している。
【００６３】
上記構成の画像形成システムを図４に示す。画像読取部を有する画像形成装置２がネットワーク４に接続されており、画像形成装置２に類似するとした画像形成装置２Ｂ、２Ｃが画像形成装置２に記録されている。
画像形成装置２では、画像読取部で読み取られた読取画像を用いて出力物の印字情報を取得することができる。この印字情報を解析して画像形成装置２に備える画像形成部に対する調整を行うことができる。したがって、画像形成装置２の画像制御部は解析調整部として機能する。さらに、画像制御部では、調整を行った際の使用状況および調整内容を取得し、画像形成装置２に類似するとされた画像形成装置２Ｂ、２Ｃに対する調整タイミングを決定する。タイミングに関する情報は、適宜時期に画像形成装置２Ｂ、２Ｃへ送信する。したがって、画像制御部は、調整タイミング決定部として機能する。
また、解析調整部や調整タイミング決定部の動作を、画像形成装置２以外の画像形成装置における画像制御部で実行するものとしてもよい。
【００６４】
次に、調整タイミングを決定して他の装置に送信する手順を説明する。
先ず、画像形成装置２Ａで調整実施してサーバに情報を送信するまでの手順を図５のフローチャートに基づいて説明する。以下の手順は、画像制御部の制御によって実行される。
画像形成装置２Ａでプリントを開始して、出力部を画像読取部で読み取った結果に基づいて解析調整部で解析処理を行う（ステップｓ１）。解析の結果、出力物のかすれやトナー濃度の低下などによって、調整の必要があるかを判断する（ステップｓ２）。なお、調整が必要な際の基準は予め定めておくことができる。
【００６５】
解析の結果、調整の必要がない場合（ステップｓ２、Ｎｏ）、ステップｓ５に移行して、プリントジョブが終了したかを判定する。プリントジョブが終了していれば（ステップｓ５、Ｙｅｓ）、画像形成装置２Ａにおけるプリントを終了する。
解析の結果、調整が必要であると判断された場合（ステップｓ２、Ｙｅｓ）、調整処理を行い（ステップｓ３）、調整をした際の使用状況、装置情報等をサーバに送信する（ステップｓ４）。次いで、プリントジョブが終了したかを判定する（ステップｓ５）。プリントジョブが終了していなければ（ステップｓ５、Ｎｏ）、ステップｓ１に戻って以降の手順を繰り返す。プリントジョブが終了していれば（ステップｓ５、Ｙｅｓ）、手順を終了する。
【００６６】
次に、画像形成装置２Ａから情報を受信したサーバにおける動作を図６のフローチャートに基づいて説明する。以下の手順は、管理制御部の制御によって実行される。
画像形成装置２Ａの使用状況、装置情報等を受信し（ステップｓ１０）、使用状況、装置情報等を解析し、調整タイミングを算出する（ステップｓ１１）。次いで、ネットワーク内の画像形成装置２Ａと似た構成の装置を検索する（ステップｓ１２）。検索された、画像形成装置２Ａと似た構成の装置に、調整タイミング情報を送信し（ステップｓ１３）、手順を終了する。
【００６７】
画像形成装置２Ａに似た構成を有する画像形成装置２Ｂで、調整タイミングを受信して行う動作について図７のフローチャートに基づいて説明する。以下の手順は、画像形成装置２Ｂに備える画像制御部の制御によって実行される。
サーバから調整タイミング情報を受信し（ステップｓ２０）、受信した情報に基づいて自機の調整タイミングを再設定する（ステップｓ２１）。次いで、調整タイミングに到達したかを判定する（ステップｓ２２）。調整タイミングに到達していなければ（ステップｓ２２、Ｎｏ）、到達まで待機する。調整タイミングに到達していれば（ステップｓ２２、Ｙｅｓ）、調整を実施し（ステップｓ２３）、手順を終了する。
【００６８】
上記手順によれば、同一ネットワーク内に複数の画像形成装置と画像形成装置から送信される各種データを集約するサーバを持つシステムで、読取装置を有する画像形成装置と、読取装置を有していない装置が混在している場合に、読取装置を持つ画像形成装置(画像形成装置２Ａ)は出力物をリアルタイム解析し、出力物のかすれや濃度の低下を検出、必要に応じて各種調整を行い出力物がまた正常に出力されていることを確認できる。
このとき画像形成装置２Ａは、調整を行うまでに、例えば何枚印刷したか、トナーをどれだけ消費したか、調整の効果があったかどうかをネットワーク内のサーバへ送信することができる。サーバはこのデータを蓄積し、調整を行うべきタイミングを算出する。その後、ネットワーク内にいる画像形成装置２Ａと似た構成の他の画像形成装置(例えば画像形成装置２Ｂ)に対して調整を行うべきタイミング情報を送信する。ここでいう構成とは、機種、トナーの消費状況、給紙トレイの用紙情報、標準で搭載されている内部センサによる情報等を指す。画像形成装置２Ｂは上記情報を受信すると現状の使用状況から次に調整を行うべきタイミングを設定し直すことができる。
【００６９】
これにより読取装置によって得られた情報を基に行った調整のタイミングを、読取装置を有していない他の装置に対しても適用させることで、完全ではないにせよ、ある程度の確度で適切な時期に調整を行うことができ、不要な調整や調整の遅れを防ぐことができる。
【００７０】
次に、画像形成装置２Ａで行った調整内容が機械固有であるかによって処理が異なる他の形態について、図８のフローチャートに基づいて説明する。以下の手順は、画像形成装置２Ａの画像制御部の制御によって実行される。
先ず、画像を読み取った読取画像に基づいて解析調整部による解析処理を実施する（ステップｓ３０）。解析結果より、調整の必要があるかを判定する（ステップｓ３１）。調整の必要がなければ（ステップｓ３１、Ｎｏ）、ステップｓ３４に移行してプリントジョブ終了かを判定する。
調整の必要があると判定された場合（ステップｓ３１、Ｙｅｓ）、必要な調整は機械固有の調整であるかを判定する（ステップｓ３２）。機械固有の調整の例としては、ドラム等の傷によるヤレ検知時調整や、印字位置のずれによる調整などが挙げられる。
【００７１】
必要な調整が機械固有の調整である場合（ステップｓ３２、Ｙｅｓ）、ステップｓ３４に移行してプリントジョブが終了かを判定する。
必要な調整が機械固有の調整でない場合（ステップｓ３２、Ｎｏ）、使用状況、装置情報等をサーバに送信し（ステップｓ３３）、次に、プリントジョブが終了したかを判定する（ステップｓ３４）。
プリントジョブが終了している場合（ステップｓ３４、Ｙｅｓ）、画像形成装置２Ａにおけるプリント処理を終了する。プリントジョブが終了していない場合（ステップｓ３４、Ｎｏ）、ステップｓ３０に戻って、解析処理以降の手順を繰り返す。
調整が機械固有の調整でないとして情報を取得したサーバおよび画像形成装置２Ａに類似する構成の画像形成装置の処理手順は、前記形態の手順と同様である。
【００７２】
上記手順によれば、上記画像形成装置２Ａの調整が機械固有の調整であると判断された場合にはサーバへの情報送信を行わない。または機械固有の調整であることを合わせて送信し、サーバから他の装置への調整タイミングの送信を行わせないようにすることができる。
上記形態により、読取画像の解析が行われない他の装置に対して無駄な調整を行わせることを防ぐことができる。
【００７３】
次に、調整タイミングの情報を受信した画像形成装置において、調整のタイミングに関する設定に応じて処理を行う手順について図９のフローチャートに基づいて説明する。なお、以下の手順は調整タイミング情報を受信する画像形成装置２Ｂの画像制御部の制御によって実行される。
画像形成装置２Ｂでは、予め調整タイミングとして、画質優先が設定されている。なお、設定によって、サーバ指示優先との選択を可能にするものであってもよい。
画像形成装置２Ｂで、サーバから調整タイミング情報を受信し（ステップｓ４０）、受信した調整タイミング周期が設定タイミング周期より早いかを判定する（ステップｓ４１）。
【００７４】
受信した調整タイミング周期が設定タイミング周期より早くない場合（ステップｓ４１、Ｎｏ）、設定されている調整タイミングに到達したかの判定を行う（ステップｓ４３）。受信した調整タイミング周期が設定タイミング周期より早い場合（ステップｓ４１、Ｙｅｓ）、調整タイミングを再設定し（ステップｓ４２）、設定された調整タイミングに達したかを判定する（ステップｓ４３）。
ステップｓ４３で調整タイミングに到達していなければ（ステップｓ４３、Ｎｏ）、調整タイミングに到達するまで待機する。
調整タイミングに到達すれば（ステップｓ４３、Ｙｅｓ）、調整を実施し（ステップｓ４４）、手順を終了する。
【００７５】
また、画像形成装置２Ｂで消耗品の節約が優先設定されている場合の手順について図１０のフローチャートに基づいて説明する。なお、以下の手順は調整タイミング情報を受信する画像形成装置２Ｂの画像制御部の制御によって実行される。
画像形成装置２Ｂで、サーバから調整タイミング情報を受信し（ステップｓ５０）、受信した調整タイミング周期が設定タイミング周期より遅いかを判定する（ステップｓ５１）。
【００７６】
受信した調整タイミング周期が設定タイミング周期より遅くない場合（ステップｓ４１、Ｎｏ）、設定されている調整タイミングに到達したかの判定を行う（ステップｓ５３）。受信した調整タイミング周期が設定タイミング周期より遅い場合（ステップｓ４１、Ｙｅｓ）、調整タイミングを再設定し（ステップｓ５２）、設定された調整タイミングに達したかを判定する（ステップｓ５３）。
ステップｓ５３で調整タイミングに到達していなければ（ステップｓ５３、Ｎｏ）、調整タイミングに到達するまで待機する。
調整タイミングに到達すれば（ステップｓ５３、Ｙｅｓ）、調整を実施し（ステップｓ５４）、手順を終了する。
【００７７】
上記手順によれば、読取装置を持たない画像形成装置のパネルなどから調整タイミングの設定を可能とする。設定項目として「サーバ指示優先」「画質優先」「消耗品節約優先」などが例示され、「サーバ指示優先」の場合は常にサーバから指示されたタイミングで調整を行い、「画質優先」の場合はサーバから指示された調整タイミングが予め設定された調整タイミングより早い周期の場合のみサーバ指示に従い、「消耗品節約優先」の場合はサーバから指示された調整タイミングが予め設定された調整タイミングより遅い周期の場合のみサーバ指示に従うものとする。
これにより画質優先の場合は調整が遅れてヤレが生じることを防ぐことができ、消耗品節約優先の場合は頻繁に調整を行うことによるトナーや用紙といった消耗品の消耗を防ぐことができる。なおこの設定は調整内容ごとにそれぞれ設定可能とするものとしてもよい。
【００７８】
以上、本発明について上記実施形態に基づいて説明を行ったが、本発明は上記実施形態で説明した内容に限定されるものではなく、本願発明の範囲を逸脱しない限りは、実施形態に対する適宜の変更が可能である。
【符号の説明】
【００７９】
１  画像形成システム
２、２Ａ、２Ｂ、２Ｃ  画像形成装置
３Ａ、３Ｂ  画像形成装置
４  ネットワーク
５  サーバ
１０  画像形成装置本体
２０  読取装置
２４、２５  読取センサ
３０  後処理装置
１００  画像制御部
１０５  画像処理部
１１０  画像形成部
１３０  画像メモリ
１４０  操作部
１５０  通信部
２００  読取制御部
２２０  画像読取部
２３０  画像メモリ
５００  管理制御部
５５０  通信部
【図１】
2019197300.tif 000003
【図２】
2019197300.tif 000004
【図３】
2019197300.tif 000005
【図４】
2019197300.tif 000006
【図５】
2019197300.tif 000007
【図６】
2019197300.tif 000008
【図７】
2019197300.tif 000009
【図８】
2019197300.tif 000010
【図９】
2019197300.tif 000011
【図１０】
2019197300.tif 000012